(57)【特許請求の範囲】
【請求項１】
既設壁を切除して既設サッシの既設枠を建物躯体から取り外し、前記既設枠を取り外した部位に取り付けられる改装枠と、
前記改装枠に直接取り付けられて、前記既設壁を切除した部位を覆うカバー部材と、
を備え、
前記カバー部材は、前記改装枠への取り付け部において、隣接する前記改装枠の縁を越えて延出され当該改装枠と屋外側で重なる部位を有し、
前記改装枠との間にシール材を備えて前記改装枠側から進入するビスが前記カバー部材に螺合されることにより、当該カバー部材および前記改装枠のいずれか一方が有するカバー位置決め片が他方に当接されて当該カバー部材が位置決めされるとともに前記改装枠に直接取り付けられ、
前記改装枠は、前記既設壁を切除することにより前記既設枠の既設取付部が露出されて当該既設枠が取り外された部位に、当該改装枠の改装取付部が取り付けられており、
前記改装取付部と前記カバー部材との間には空間が設けられていることを特徴とする改装サッシ。
【請求項２】
請求項１に記載の改装サッシであって、
前記改装枠は、前記既設壁の壁面より屋外側に張り出しており、
前記カバー部材は、前記改装枠の張り出した部位に取り付けられる枠固定部が、前記壁面より前記改装取付部側に突出しないことを特徴とする改装サッシ。
【請求項３】
請求項１または請求項２に記載の改装サッシであって、
前記改装枠は、改装上枠と改装下枠と左右の改装縦枠とを矩形状に枠組みして形成されており、
前記改装上枠に取り付けられる前記カバー部材としての上カバー部材と、前記改装枠の見付け方向における両側に配置され、左右の改装縦枠に取り付けられる前記カバー部材としての左右一対の縦カバー部材とがそれぞれ接合され、
接合された前記上カバー部材の内部と前記縦カバー部材の内部とは連通されており、前記縦カバー部材は下端に下方に開放された部位を有していることを特徴とする改装サッシ。
【請求項４】
請求項３に記載の改装サッシであって、
前記改装枠の改装下枠の下方には、前記既設壁を切除した部位に取り付けられる水切り部材を有し、
前記縦カバー部材の下方に開放された部位は、前記水切り部材の上方または前記水切り部材より屋外側に配置されていることを特徴とする改装サッシ。
【発明の詳細な説明】
【技術分野】
【０００１】
本発明は、既存のサッシを取り外した壁開口に取り付けられる改装サッシに関する。
【背景技術】
【０００２】
既存のサッシを取り外した壁開口に取り付けられる改装サッシとしては、既存の壁の開口に取り付けられる枠体を有し、枠体が有する上枠及び左右の竪枠の外周に取り付けられる係合部材と、係合部材に嵌合する額縁とを備えているサッシが知られている（例えば、特許文献１参照）。このようなサッシは、係合部材の一側面にブチルシールが張られて躯体との水密性が図られている。
【先行技術文献】
【特許文献】
【０００３】
【特許文献１】特開２０００−２８２７５７号公報
【発明の概要】
【発明が解決しようとする課題】
【０００４】
上記のようなサッシは、係合部材が、ブチルシールを貫通するねじにて躯体に固定されているため、ブチルシールによる係合部材と躯体との水密性が劣る虞があるという課題がある。
【０００５】
本発明は、かかる課題に鑑みてなされたものであり、その目的とするところは、水密性及び美観に優れた改装サッシを提供することにある。
【課題を解決するための手段】
【０００６】
かかる目的を達成するために本発明の改装サッシは、既設壁を切除して既設サッシの既設枠を建物躯体から取り外し、前記既設枠を取り外した部位に取り付けられる改装枠と、前記改装枠に直接取り付けられて、前記既設壁を切除した部位を覆うカバー部材と、を備え、前記カバー部材は、前記改装枠への取り付け部において、隣接する前記改装枠の縁を越えて延出され当該改装枠と屋外側で重なる部位を有し、前記改装枠との間にシール材を備えて前記改装枠側から進入するビスが前記カバー部材に螺合されることにより、当該カバー部材および前記改装枠のいずれか一方が有するカバー位置決め片が他方に当接されて当該カバー部材が位置決めされるとともに前記改装枠に直接取り付けられ、前記改装枠は、前記既設壁を切除することにより前記既設枠の既設取付部が露出されて当該既設枠が取り外された部位に、当該改装枠の改装取付部が取り付けられており、前記改装取付部と前記カバー部材との間には空間が設けられていることを特徴とする改装サッシである。
【０００７】
このような改装サッシによれば、改装枠が取り付けられる既設壁を切除した部位を覆うカバー部材が改装枠に取り付けられているので、改装枠の外周側を綺麗に納めることが可能である。このとき、例えば、改装サッシを取り付けた後に既設壁を切除した部位を復元する場合より、手間が掛からず、短時間にて施工することが可能である。また、カバー部材は改装枠に取り付けられているので、このカバー部材を取り付けるために既設壁を切除した部位や建物躯体にビスなどの固定具が進入しない。このため、たとえカバー部材内に水等が進入したとしても、既設壁や建物躯体内部への水の浸入を抑えることが可能である。よって、カバー部材に覆われている部位における、より高い水密性を確保することが可能である。
【０００８】
また、改装枠の改装取付部は、既設取付部が取り付けられていた部位、すなわち、既設枠の既設取付部より外側に設けられていた既設壁が切除されて露出された部位に取り付けられて、カバー部材との間に空間が設けられるので、改装取付部とカバー部材との間に、たとえば、モルタルを充填したり、水密材を設けたり、断熱材を設けたりなど、改装取付部とカバー部材との間の構造の自由度を高めることが可能である。
【０００９】
かかる改装サッシであって、前記改装枠は、前記既設壁の壁面より屋外側に張り出しており、前記カバー部材は、前記改装枠の張り出した部位に取り付けられる枠固定部が、前記壁面より前記改装取付部側に突出しないことが望ましい。
【００１０】
このような改装サッシによれば、カバー部材は、改装枠の、壁面より屋外側に張り出している部位に枠固定部が取り付けられ、枠固定部は、壁面より改装取付部側に突出しないので、既設壁に取り付けられた改装枠の改装取付部よりカバー部材側の空間には、壁面より改装取付部側に枠固定部が突出しない。このため、改装枠の改装取付部よりカバー部材側の空間に、壁面より改装取付部側に突出する部材のない空間を確保することが可能である。このため、改装枠の改装取付部よりカバー部材側の空間の壁面より改装取付部側の領域を利用して、たとえば、モルタルを充填したり、水密材を設けたり、断熱材を設けたりなど、の造作を施すことが可能である。
【００１１】
かかる改装サッシであって、前記改装枠は、改装上枠と改装下枠と左右の改装縦枠とを矩形状に枠組みして形成されており、前記改装上枠に取り付けられる前記カバー部材としての上カバー部材と、前記改装枠の見付け方向における両側に配置され、左右の改装縦枠に取り付けられる前記カバー部材としての左右一対の縦カバー部材とがそれぞれ接合され、接合された前記上カバー部材の内部と前記縦カバー部材の内部とは連通されており、前記縦カバー部材は下端に下方に開放された部位を有していることが望ましい。
【００１２】
このような改装サッシによれば、改装枠に取り付けられる上カバー部材と、左右一対の縦カバー部材とが接合され、上カバー部材の内部と左右一対の縦カバー部材の内部とは連通されているので、たとえ上カバー部材内に水等が浸入したとしても、縦カバー部材側に排出することが可能である。また、縦カバー部材は下端に下方に開放された部位を有しているので、縦カバー部材内に進入した水等をカバー部材外に容易に排出させることが可能である。
【００１３】
かかる改装サッシであって、前記改装枠の改装下枠の下方には、前記既設壁を切除した部位に取り付けられる水切り部材を有し、前記縦カバー部材の下方に開放された部位は、前記水切り部材の上方または前記水切り部材より屋外側に配置されていることが望ましい。
【００１４】
このような改装サッシによれば、縦カバー部材内に進入して下方に開放された部位から水切り部材上に至らせ、水切り部材を伝わせたり、または、下方に開放された部位から排出された水を水切り部材より屋外側にて縦カバー部材外に排出して、外壁に至らせることなく排出することが可能である。
【発明の効果】
【００１５】
本発明によれば、水密性及び美観に優れた改装サッシを提供することが可能である。
【図面の簡単な説明】
【００１６】
【図１】本発明の一実施形態に係る改装サッシの縦断面である。
【図２】本発明の一実施形態に係る改装サッシの横断面図である。
【図３】改装上枠と周りの部材との取り合いを説明するための縦断面図である。
【図４】改装下枠と周りの部材との取り合いを説明するための縦断面図である。
【図５】改装縦枠と周りの部材との取り合いを説明するための横断面図である。
【図６】縦カバー部材と上カバー部材との接合状態を説明するための斜視図である。
【図７】既設サッシを撤去するときに切除される外壁の状態を説明するための縦断面図であり、図７（ａ）は、既設枠が取り付けられている状態を示す縦断面図、図７（ｂ）は、外壁が切除された状態を示す縦断面図、図７（ｃ）は、既設枠が撤去されて改装枠が取り付けられる状態を示す縦断面図である。
【発明を実施するための形態】
【００１７】
以下、本発明の一実施形態に係る改装サッシについて図面を参照して説明する。
【００１８】
本実施形態の改装サッシ１０は、例えば、図１、図２に示すように、既設の建物の既設壁としての既設の外壁５に設けられている開口２に取り付けられている既設サッシ（不図示）を取り外して、既設サッシを取り外した部位に取り付けられる改装サッシ１０である。
【００１９】
以下の説明においては、建物等に取り付けられた状態の既設サッシ及び改装サッシ１０を屋外側から見たときに、上下となる方向を上下方向、左右となる方向を左右方向または見付け方向、屋内外方向である奥行き方向を見込み方向として示す。また、既設枠５０（図７）及び改装サッシ１０が備える各部材は、単体の状態であっても開口２に取り付けられた状態で上下方向、見付け方向、見込み方向等となる方向にて方向を特定して説明する。また、開口２の上部に取り付けられる枠部材の下側、開口２の下部に取り付けられる枠部材の上側、開口２の左側に取り付けられる枠部材の右側、開口２の右側に取り付けられる部材の左側は、開口２の中央側とし、反対側を開口２の外側または外周側として示す。
【００２０】
本実施形態においては、既存の建物に既に設けられている既存の既設枠５０と、既設枠５０を取り外した後に外壁５に取り付けられる改装サッシ１０とを説明するが、同じ名称を有する部位、部材には、各名称の前に「既設」または「改装」を付して説明する。例えば、既設枠が有する下枠や縦枠等は、既設下枠、既設縦枠等とし、改装サッシ１０が有する縦枠や障子等は、改装縦枠、改装障子等として説明する。
【００２１】
改装サッシ１０を取り付けるために取り外される既設サッシの既設枠５０は、例えば、図７（ａ）に示すように、引き違い障子用の枠体であり、既設サッシの既設障子（不図示）が案内される既設レール５１ａ、５２ａを有する既設上枠５１及び既設下枠５２と、既設上枠５１と既設下枠５２とを見付け方向における両端側にて連結する既設縦枠（不図示）とが矩形状に枠組みされて開口２に取り付けられている。
【００２２】
既設枠５０は、既設上枠５１が躯体３をなす窓まぐさ３ａに、既設下枠５２が躯体３をなす窓台３ｂに、左右の既設縦枠（不図示）が躯体をなす柱等（不図示）にそれぞれ固定されている。尚、既設上枠５１が取り外された際の外壁５の状態と、既設縦枠（不図示）が取り外された際の外壁５の状態、より具体的には改装枠２０が取り付けられる外壁５の状態とはほぼ同じなので、既設枠５０と外壁５との取り合い部分については、既設上枠５１及び既設下枠５２を例に挙げて説明する。
【００２３】
既設上枠５１は、２枚の既設障子（不図示）を案内するための２本の既設上レール５１ａと、屋外側に設けられた既設網戸上レール５１ｂと、屋内側に設けられた既設屋内壁部５１ｃとが、見込み方向に互いに間隔を隔てて配置され、見付け方向の全域に渡って鉛直方向に垂設されている。
【００２４】
既設上レール５１ａ、既設網戸上レール５１ｂ、既設屋内壁部５１ｃの上部側は連結されており、既設網戸上レール５１ｂと既設屋内壁部５１ｃとの見込み方向における中央付近には鉛直方向に上方に延出された、既設上枠５１の既設取付部としての既設枠上取付部５１ｄが設けられている。
【００２５】
既設上枠５１は、窓まぐさ３ａの屋外側の面に既設枠上取付部５１ｄが当接されてビス止めされるとともに、既設枠上取付部５１ｄより屋内側の部位が窓まぐさ３ａの下側に設けられた飼い木６に当接され、既設屋内壁部５１ｃの屋内側の面が、額縁７の屋外側の縁部に当接されて取り付けられている。
【００２６】
ここで、既設縦枠（不図示）について簡単に説明すると、既設縦枠も既設上枠５１と同様に、躯体３としての方立の屋外側の面に、既設縦枠の外周側に突出された、既設縦枠の既設取付部としての既設枠縦取付部が当接されてビス止めされるとともに、既設枠縦取付部より屋内側の部位が柱の外周側の面に設けられた飼い木に当接され、最も屋内側に位置する部位が、額縁の屋外側の縁部に当接されて取り付けられている。
【００２７】
既設下枠５２は、既設内障子（不図示）を案内するための２本の既設下レール５２ａと、既設網戸下レール５２ｂと、屋内側の既設下レール５２ａと対向して屋内側に設けられた既設屋内側下壁部５２ｃと、屋外側の既設下レール５２ａの下端と既設屋内側下壁部５２ｃの下端とをほぼ水平に連結する連結する既設連結部５２ｄと、既設連結部５２ｄの見込み方向におけるほぼ中央から下方に垂設された、既設下枠５２の既設取付部としての既設枠下取付部５２ｅと、を有している。
【００２８】
既設下枠５２は、既設枠下取付部５２ｅより屋内側の部位が窓台３ｂの上部に載置されて、窓台３ｂの屋外側の面に既設枠下取付部５２ｅが当接されてビス止めされ、既設屋内側下壁部５２ｃの屋内側の面が、額縁７の屋外側の縁部に当接されて取り付けられている。
【００２９】
既設枠５０は、既設上枠５１、既設下枠５２、及び既設縦枠５３が矩形状に枠組みされて、既設枠上取付部５１ｄ、既設枠下取付部５２ｅ、及び、既設枠縦取付部がそれぞれビス止めされている。外壁５は、下地材４が、躯体３の屋外側において、矩形状をなしている既設枠上取付部５１ｄ、既設枠下取付部５２ｅ、及び、既設枠縦取付部の外周側に間隔を隔てて設けられている。
【００３０】
そして、躯体３に取り付けられた既設枠５０は、外壁５の下地材４よりも屋外側に突出しており、下地材４の表面側に設けられて外壁面５ａをなすモルタルは、下地材４より外側に適宜厚さに打設されて外壁面５ａが既設上枠５１，既設下枠５２、既設縦枠５３まで繋がっている。このため、躯体３にビス止めされている既設枠上取付部５１ｄ、既設枠下取付部５２ｅ、及び、既設枠縦取付部はいずれも打設されたモルタルの内側に埋設されている。
【００３１】
改装サッシ１０は、２枚の改装障子１２を有する引き違いタイプのサッシであり、改装障子１２が取り付けられる矩形状の改装枠２０と、改装枠２０に取り付けられるカバー部材３０、３１と、改装枠２０の改装下枠２２に取り付けられる水切り部材３３と、を有している。
【００３２】
改装枠２０は、改装サッシ１０の２枚の改装障子１２が案内される改装レール２１ａ、２１ｂ、２２ａ、２２ｂを有する改装上枠２１及び改装下枠２２と、左右の改装縦枠２３が矩形状に枠組みされている。尚、改装上枠２１、改装下枠２２、及び、左右の改装縦枠２３は押出成形部材であり、左右の改装縦枠２３は、改装障子１２の戸先框との係合部分等の内周側に突出する部位を除いて互いに左右対称の形状をなしている。
【００３３】
改装上枠２１は、図３に示すように、窓まぐさ３ａにビス止めされる、改装上枠２１の改装取付部としての改装上固定ヒレ部２１ｃと、改装上固定ヒレ部２１ｃの下端に設けられほぼ水平な面をなす上面板部２１ｄと、上面板部２１ｄの屋外側の縁から垂設された網戸上レール２１ｅと、網戸上レール２１ｅと見込み方向に間隔を隔てて設けられた外障子上レール２１ａと、外障子上レール２１ａと間隔を隔てるとともに改装上固定ヒレ部２１ｃと断熱材２１ｇを介して垂設された内障子上レール２１ｂと、内障子上レール２１ｂの上端から屋内側に延出されて上の額縁７に当接される上額縁当接部２１ｆと、を有している。
【００３４】
改装上枠２１は、屋内側にて上額縁当接部２１ｆが額縁７に当接しているだけなので、改装上枠２１だけでは額縁７の屋外側に縁部が露出してしまう。このため、内装材としての額縁７の縁部を覆う上覆い部材２６が設けられている。内障子上レール２１ｂの上端から屋内側に延出されている上額縁当接部２１ｆは、上の額縁７の下面７ａより上方に位置するため、内障子上レール２１ｂ及び上額縁当接部２１ｆと額縁７の屋外側の面７ｂとで上方に窪む上凹部２１ｈが形成される。上覆い部材２６は、この上凹部２１ｈを覆うとともに上凹部２１ｈに嵌合され躯体３にビス止めされる上枠覆い部２６ａと、額縁７の屋外側にて下面を覆う上額縁覆い部２６ｂとを有している。
【００３５】
改装下枠２２は、図４に示すように、窓台３ｂに取り付けられるアタッチメント３５に支持される脚部２２ｃと、脚部２２ｃの上端側にて屋外側に延出されて上方に立ち上がった外障子下レール２２ａと、外障子下レール２２ａの屋外側に設けられ、外障子下レール２２ａと間隔を隔てて対向する網戸下レール２２ｇと、外障子下レール２２ａの下端から下方に延出された屋外延出部２２ｄと、屋外延出部２２ｄの下端から屋外側に突出された屋外突出部２２ｅと、屋外延出部２２ｄの下端から屋内側に延出されて脚部２２ｃ側と連結される連結部２２ｆと、脚部２２ｃの上端側にて断熱材２２ｊを介して屋外側に延出されて上方に立ち上がった内障子下レール２２ｂと、屋内側に延出された屋内延出部２２ｈと、脚部２２ｃより下方に延出されて窓台３ｂに固定される、改装下枠２２の改装取付部としての改装下固定ヒレ部２２ｉと、を有している。
【００３６】
アタッチメント３５は、改装枠２０が取り付けられた際に、改装枠２０の下側に配置されて、当該改装サッシ１０の屋外側への倒れを防止するための補強部材である。アタッチメント３５は、改装下枠２２の改装下固定ヒレ部２２ｉにビス止めされる。そして、窓台３ｂに固定された水切り部材３３を貫通するビスにて窓台３ｂに固定される固定部３５ａと、固定部３５ａの上端から屋外側に突出されて改装枠２０が載置される載置部３５ｂとが一体に形成されたＬ字状をなす部材である。
【００３７】
左右の改装縦枠２３は、改装障子１２の戸先框との係合部分は相違するが、方立３ｃへの取り付け方法は同じなので、ここでは、屋外側から見て右側に位置する改装縦枠２３を例に挙げて説明する。
【００３８】
右の改装縦枠２３は、図５に示すように、方立３ｃにビス止めされる、改装縦枠２３の改装取付部としての改装側固定ヒレ部２３ａと、改装側固定ヒレ部２３ａの左端、すなわち開口２の中央側の端に設けられ見込み方向に沿う面を有する中央面板部２３ｂと、中央面板部２３ｂの屋外側の縁から開口２の中央側に突出されて網戸の戸先框と係合する網戸係合部２３ｃと、中央面板部２３ｂの屋外側の縁から網戸係合部２３ｃと反対側に延出されて後述するカバー部材３１が当接して位置決めされるカバー位置決め片２３ｄと、中央面板部２３ｂの屋内側の縁に設けられ額縁７に当接される側額縁当接部２３ｅと、を有している。
【００３９】
また、中央面板部２３ｂにおける、開口２の中央側には、改装外障子の戸先框と係合する戸先係合部２３ｆと、開口２の中央側から中央面板部２３ｂに嵌合される内周覆い部材２５が係止される係止片２３ｇと、が設けられている。
【００４０】
中央面板部２３ｂに嵌合される内周覆い部材２５は、改装縦枠２３の屋内側のほぼ半分を覆うとともに、屋内側に、開口２の外周側に窪む凹部２５ａを有している。また、凹部２５ａの屋内側には、額縁７の屋外側の縁部を覆う額縁覆い部２５ｂが設けられ、凹部２５ａには、凹部２５ａを覆う閉塞ピース材２４が開口２の中央側から嵌合されている。
【００４１】
カバー部材３０、３１は、改装枠２０が有する改装上枠２１、及び、左右の改装縦枠２３にそれぞれ、改装上枠２１、及び、左右の改装縦枠２３の外周側に位置させてビスにて固定されている。改装上枠２１、及び、左右の改装縦枠２３に固定される各カバー部材３０、３１は、断面形状が同じ押出成形部材である。
【００４２】
カバー部材３０、３１は、改装上枠２１、及び、左右の改装縦枠２３の外周面にビス止めされる枠固定部３０ａ、３１ａと、枠固定部３０ａ、３１ａの屋外側の縁から外周側に延出されて屋外側に臨む面をなすカバー板部３０ｂ、３１ｂと、カバー板部３０ｂ、３１ｂの外周側の縁から屋内側に延出され枠固定部３０ａ、３１ａと間隔を隔てて対面する外周壁部３０ｃ、３１ｃと、枠固定部３０ａ、３１ａの屋外側の縁からカバー板部３０ｂ、３１ｂと繋がって内周側に延出された延出部３０ｄ、３１ｄと、を有している。
【００４３】
カバー板部３０ｂ、３１ｂの屋内側の面には、カバー部材３０、３１の長手方向に沿う２つのビスホール３０ｅ、３１ｅが、長手方向と交差する幅方向に間隔を隔てて設けられている。また、外周壁部３０ｃ、３１ｃには、見込み方向に間隔を隔てて枠固定部３０ａ、３１ａ側に突出した突出片３０ｆ、３１ｆが複数設けられている。突出片３０ｆ、３１ｆは、外壁面５ａと対向して、外壁面５ａとの間にシール材４０が設けられる部位である。このため、外壁面５ａと適宜間隔を隔てて突出片３０ｆが配置されるように、外壁面５ａの位置に合わせて外周壁部３０ｃ、３１ｃの屋内側の先端部分３０ｇ、３１ｇを適宜切除することができるように形成されている。
【００４４】
このようなカバー部材３０、３１は、左右の改装縦枠２３に取り付けられる左右一対のカバー部材（以下、縦カバー部材という）３０が、各々の枠固定部３０ａが対向するように互いに内側に配置され、縦カバー部材３０の上端にて、それらの間に、枠固定部３１ａが下方に向くように改装枠２０の上側に配置されるカバー部材（以下、上カバー部材という）３１が固定される。このとき、縦カバー部材３０の外周壁部３０ｃに設けられた、ビス３８の頭部３８ａより大きな貫通孔から挿入されたビス３８のねじ部３８ｂが、枠固定部３０ａに設けられた、ビス３８の頭部３８ａより小さな貫通孔に挿入されて、上カバー部材３１のビスホール３１ｅに螺合されることにより、左右一対の縦カバー部材３０と上カバー部材３１とがコ字状に固定される。
【００４５】
縦カバー部材３０には、図６に示すように、上カバー部材３１と接合された際に、上カバー部材３１の内側と縦カバー部材３０の内側とが連通するように切り欠き３０ｈが設けられている。また、縦カバー部材３０は、上下端部にて、その小口を覆うようにビス止めされる閉塞板３６を有している。そして、縦カバー部材３０の下端の閉塞板３６には、縦カバー部材３０の内外を上下方向に連通し、下方に開放された部位としての開孔３６ａが設けられている。
【００４６】
既設の外壁５に既設サッシが設けられている状態から、改装サッシ１０に改装する方法は、まず、既設サッシを取り外すために、図７（ａ）に示すように、外壁５の、既設障子が取り外された既設枠５０の外周側を切除し、既設枠上取付部５１ｄ、既設枠下取付部５２ｅを露出させる。図７（ｂ）、図７（ｃ）のように、露出された既設枠上取付部５１ｄ、既設枠下取付部５２ｅを既設の躯体３に固定しているビス又は釘を外して、既設枠５０を撤去する。ここでは、既設縦枠が図示されていないが、既設縦枠についても、既設上枠５１、既設下枠５２と同様に既設枠取付部を露出させて、躯体３に固定しているビス又は釘を外す。このとき、改装サッシ１０の改装枠２０を取り付ける際に、不要となる既設の飼い木６等は、既設枠５０とともに撤去する。
【００４７】
次に、改装サッシ１０を取り付けるために、外壁５側を加工する。本実施形態の例では、上下の額縁７の屋外側の部位を切除し、額縁７の見込み方向の幅を、改装枠２０に合わせて狭くするとともに、飼い木６も額縁７に合わせて、不要部分を切除し、また、不用な飼い木６を撤去する。
【００４８】
次に、取り付ける改装サッシ１０の改装上枠２１、改装下枠２２、及び、左右の改装縦枠２３を矩形状に枠組みして改装枠２０を形成し、改装下枠２２には、連結部２２ｆの下面との間にシール材４４を介してアタッチメント３５を配置し、改装下固定ヒレ部２２ｉにビス止めする。
【００４９】
また、上下端部にそれぞれ閉塞板３６を備えて、改装枠２０の左右の改装縦枠２３に取り付けられた一対の縦カバー部材３０と、改装枠２０の改装上枠２１に取り付けられる上カバー部材３１とをコ字状に接合しておく。そして、新たに取り付けられた改装サッシ１０にカバー部材３０、３１を取り付けたときに、外壁面５ａと外周壁部３０ｃ、３１ｃの突出片３０ｆ、３１ｆとが対向するように、外周壁部３０ｃ、３１ｃの屋内側の部位を適宜位置にて切除しておく。以下の説明では、上下端部に閉塞板３６を備えた縦カバー部材３０の、外周壁部３０ｃが適宜位置にて切除されてコ字状に形成されたカバー部材を、コ字状カバー部材３２という。
【００５０】
次に、窓台３ｂの屋外に望む面に、水切り部材３３を固定し、改装サッシ１０の改装枠２０を取り付けるための飼い木６を新たに備える。
【００５１】
次に、改装枠２０を外壁５に屋外側から取り付ける。このとき、改装上枠２１の改装上固定ヒレ部２１ｃを窓まぐさ３ａの屋外に臨む面に、改装下枠２２の改装下固定ヒレ部２２ｉを窓台３ｂの屋外に臨む面に、左右の改装縦枠２３の改装側固定ヒレ部２３ａを左右の方立３ｃの屋外に臨む面にそれぞれ当接させてビス止めする。このとき、改装上枠２１と、改装縦枠２３は、外壁面５ａより屋外側に張り出している。
【００５２】
次に、取り付けられた改装枠２０にコ字状カバー部材３２を屋外側から取り付ける。このとき、上カバー部材３１の枠固定部３１ａを改装上枠２１の上面板部２１ｄとの間にシール材４４を介して、上面板部２１ｄ上に載置するとともに、上カバー部材３１の延出部３１ｄを、改装上枠２１の網戸上レール２１ｅの屋外臨む面に当接させ、改装上枠２１の外障子上レール２１ａと網戸上レール２１ｅとの間にて、下方から進入し上面板部２１ｄを貫通して枠固定部３１ａに螺合されるビス３８にて固定する。
【００５３】
また、左右の縦カバー部材３０の枠固定部３０ａを改装縦枠２３の中央面板部２３ｂとの間にシール材４４を介して、中央面板部２３ｂと枠固定部３０ａとがほぼ平行をなすように配置するとともに、縦カバー部材３０の延出部３０ｄを、改装縦枠２３のカバー位置決め片２３ｄの屋外臨む面に当接させ、改装縦枠２３の内周側から進入し中央面板部２３ｂを貫通して枠固定部３０ａに螺合されるビス３８にて固定する。
【００５４】
コ字状カバー部材３２が、改装枠２０に取り付けられた状態では、外壁５の外壁面５ａと各カバー部材３０、３１の突出片３０ｆ、３１ｆとが間隔を隔てているので、外壁５の外壁面５ａと各カバー部材３０、３１の突出片３０ｆ、３１ｆとの間にバックアップ材４１材を注入した後に、シール材４０を充填して、改装枠２０の取り付けが完了する。このように、改装枠２０にカバー部材３０、３１が取り付けられてシール材４０が充填された状態では、外壁５のはつられた部位に固定された改装上固定ヒレ部２１ｃ、改装下固定ヒレ部２２ｉ、及び、改装側固定ヒレ部２３ａとカバー部材３０との間には空間Ｓが形成されている。
【００５５】
本実施形態の改装サッシ１０によれば、改装枠２０が取り付けられている外壁５の切除した部位を覆うコ字状カバー部材３２が改装枠２０に取り付けられているので、改装枠２０の外周側を綺麗に納めることが可能である。このとき、コ字状カバー部材３２が取り付けられる改装枠２０は、既設枠５０を取り外した部位に取り付けられるので、たとえ既設枠５０に歪みが生じていたとしても、既設枠５０に生じていた歪みなどの影響を受けることはない。また、外壁５の切除した部位は、窓まぐさ３ａと２本の方立３ｃのように異なる部材が露出されるので、より不陸が生じ易い。ところが、改装枠２０は、外壁５を切除した部位の不陸を飼い木６等にて調整して取り付けるので、取り付けられた改装枠２０には歪みが生じにくい。このため、本実施形態のように、枠状に形成されて一体となり、躯体３に取り付けられた改装枠２０にコ字状カバー部材３２取り付けると、既設枠５０の歪みや、躯体３や外壁５の不陸の影響を受けにくいので、歪みなく取り付けることが可能な美観に優れた改装サッシを提供することが可能である。
【００５６】
また、コ字状カバー部材３２が改装枠２０に取り付けられていることにより、コ字状カバー部材３２を取り付けるためのビス３８が、外壁５の切除した部位や躯体３に螺合されない。このため、たとえコ字状カバー部材３２に水等が進入しても、躯体３側に浸入し難いので、より高い水密性を確保することが可能である。
【００５７】
また、改装枠２０の改装上固定ヒレ部２１ｃ、及び、改装側固定ヒレ部２３ａは、既設枠５０の既設枠上取付部５１ｄ、及び、既設枠縦取付部の外側に設けられていた部位が切除された外壁５の部位に取り付けられて、カバー部材３０、３１との間に空間Ｓが設けられているので、切除したことにより生じた空間を、たとえば、モルタルを充填したり、水密材を設けたり、断熱材を設けたりする空間として利用することが可能である。
【００５８】
特に、コ字状カバー部材３２は、改装枠２０の、外壁面５ａより外側に張り出している部位に枠固定部３０ａが取り付けられ、枠固定部３０ａは、外壁面５ａより改装上固定ヒレ部２１ｃ及び改装側固定ヒレ部２３ａ側に突出しないので、外壁５に取り付けられた改装枠２０の改装上固定ヒレ部２１ｃ及び改装側固定ヒレ部２３ａよりカバー部材３０側の空間Ｓであって、外壁面５ａより屋内側の空間には、枠固定部３０ａが突出しない。このため、改装枠２０の改装上固定ヒレ部２１ｃ及び改装側固定ヒレ部２３ａよりカバー部材３０側の空間Ｓであって、外壁面５ａより屋内側の空間を、枠固定部３０ａが突出しない空間として確保することが可能である。このため、改装枠２０の改装上固定ヒレ部２１ｃ及び改装側固定ヒレ部２３ａよりカバー部材３０側の空間の外壁面５ａより屋内側の領域を利用して、たとえば、モルタルを充填したり、水密材を設けたり、断熱材を設けたりなど、の造作を施すことが可能である。
【００５９】
また、外壁５の切除した端部は、カバー部材３０、３１に覆われるので、丁寧な処理を施す必要がない。このため、施工性に優れた新設サッシ１０を提供することが可能である。上記実施形態においては、外壁５の切除しない部分は、そのまま使用する例について説明したが、外壁５の表面に新たな壁材を設けてもよい。この場合にも、壁材の端部がカバー部材３０、３１により覆われるので、端部を整えることなくカバー部材３０、３１にて覆うだけで美観を損なうことなく新設サッシ１０を備えることが可能である。
【００６０】
また、カバー部材３０、３１は、改装枠２０に固定されており、改装上固定ヒレ部２１ｃ及び改装側固定ヒレ部２３ａとカバー部材３０、３１との間の空間には、カバー部材３０、３１を躯体３側と中継して固定するための部材が設けられていないので、既設枠５０を取り外す際に切除した部位を埋め戻すなど、復元することも可能である。このとき、埋め戻した部位は、カバー部材３０、３１により覆われるので、塗装などの後処理を行う必要がないため、施工が容易である。
【００６１】
また、改装枠２０の上側に位置する上カバー部材３１と、左右一対の縦カバー部材３０とが接合され、上カバー部材３１の内部と縦カバー部材３０の内部とは連通されているので、万一上カバー部材３１内に水等が浸入したとしても、縦カバー部材３０側に排出することが可能である。また、縦カバー部材３０の下端の閉塞板３６には開孔３６ａが設けられているので、縦カバー部材３０内に進入した水等をカバー部材３０外に容易に排出させることが可能である。また、縦カバー部材３０が、水切り部材３３の上方にも位置している場合には、縦カバー部材３０内に進入して開孔３６ａから排出された水を、水切り部材より屋外側に排出したり、または、水切り部材３３上に至らせて、水切り部材３３を伝わせることにより、水を外壁５に至らせることなく排出することが可能である。
【００６２】
上記実施形態においては、縦カバー部材３０の下方に開放された部位として、縦カバー部材３０が有する下側の閉塞板３６に設けられた開孔３６ａを例に挙げて説明したが、これに限らず、例えば、閉塞板の一部が切り欠かれていて、縦カバー部材の内外が上下方向に連通されていても良いし、縦カバー部材が下側の閉塞板を有していないことにより、縦カバー部材の内外が上下方向に連通されていても良い。また、縦カバー部材３０の下方に開放された部位が設けられる位置としては、水切り部材３３の上方または水切り部材３３より屋外側の位置を含み、縦カバー部材３０の下端であって縦カバー部材３０の内側であればいずれの位置であっても構わない。
【００６３】
上記実施形態では、引き違い障子を備える既設枠との内周側に設けられる引き違い障子を備えた改装サッシを例に挙げて説明したが、既設枠も改装サッシも、例えば、開き窓、辷り出し窓及びＦＩＸ障子窓など、建具の種類及び組み合わせは、何れの形態であっても構わない。
【００６４】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００６５】
２  開口、３  躯体、３ａ  窓まぐさ、３ｂ  窓台、３ｃ  方立、
５  外壁、５ａ  外壁面、１０  改装サッシ、２０  改装枠、
２１  改装上枠、２１ｃ改装上固定ヒレ部、２１ｄ  上面板部、
２２  改装下枠、２２ｉ  改装下固定ヒレ部、
２３  改装縦枠、２３ａ  改装側固定ヒレ部、
３０  縦カバー部材、３０ａ  枠固定部、３０ｇ  先端部分、
３１  上カバー部材、３１ａ  枠固定部、３１ｇ  先端部分、
３２  コ字状カバー部材、３３  水切り部材、
３６  閉塞板、３６ａ  開孔、３８  ビス、５０  既設枠、
５１  既設上枠、５１ｄ  既設枠上取付部、
５２  既設下枠、５２ｅ  既設枠下取付部、５３  既設縦枠、
Ｓ  空間
【図１】
0005726619.tif 000002
【図２】
0005726619.tif 000003
【図３】
0005726619.tif 000004
【図４】
0005726619.tif 000005
【図５】
0005726619.tif 000006
【図６】
0005726619.tif 000007
【図７】
0005726619.tif 000008